(57)【要約】マトリックスディスプレイデバイスは、光感応素子（ＬＳｉｊ）と画素光発生素子（ＬＧｉｊ）とを有する光学的にアドレス指定可能な画素（Ｐｉｊ）のマトリックスを具えており、光感応素子（ＬＳｉｊ）はデータ光（Ｌｊ）を受光して、このデータ光（Ｌｊ）に応じて当該光感応素子（ＬＳｉｊ）の状態を制御し、画素光発生素子（ＬＧｉｊ）は光感応素子（ＬＳｉｊ）の状態に依存する量の画素光を発生する。選択ドライバ（ＳＤ）は画素のライン（ＬＲｉ）に選択電圧（ＳＶｉ）を供給し、この選択電圧（ＳＶｉ）は、画素光発生素子（ＬＧｉｊ）の画素光（ＬＭｉｊ）の光量を、非選択ライン（ＬＲｉ）に対しては実質上変化させないレベルを有し、また、選択電圧（ＳＶｉ）は、画素光発生素子（ＬＧｉｊ）の画素光（ＬＭｉｊ）の光量を、ライン（ＬＲｉ）のうち、選択されたラインに対しは変化させるレベルを有するようにする。少なくとも１つのデータ光発生デバイス（ＡＬｊ；ＬＡＳ）は、データ光（Ｌｊ）を光感応素子（ＬＳｉｊ）へ向ける。データドライバ（ＤＤ）は画像を表す入力データを受信し、且つ少なくとも１つのデータ光発生素子を制御して、入力データに応じた光量の光を発生させる。
2006517682.tif 000002
【特許請求の範囲】
【請求項１】
光学的にアドレス指定可能な画素のマトリックスを有するマトリックスディスプレイデバイスであって、それぞれの画素が：
データ光によって制御され得る状態を有する光感応素子と、
前記光感応素子の状態に依存する輝度を有する画素光を発生するための画素光発生素子と、
を具えているマトリックスディスプレイデバイスにおいて、当該マトリックスディスプレイデバイスが：
データ光を発生するためのデータ光発生デバイスと、
画像を表す入力データを受信し、且つ前記データ光発生デバイスを制御して、入力データに従う輝度のデータ光を発生するためのデータドライバと、
画素のラインに選択電圧を供給するための選択ドライバと、
を具え、前記選択電圧が、選択されていない画素のラインにおける画素の画素光の輝度を十分には変化させないレベルを有し、且つ前記選択電圧が、選択された画素のラインにおける画素の画素光の輝度を変化させることができるレベルを有するようにしたことを特徴とするマトリックスディスプレイデバイス。
【請求項２】
前記画素のラインが第１方向に延在し、且つ前記データ光発生デバイスが、複数のデータ光発生素子と、複数の関連する画素のラインにおける、前記第１方向に対してほぼ垂直の第２方向に延在する複数の画素に複数のデータ光を転送するための同じ複数個の関連する光導波伝送路とを具え、前記データドライバが、前記複数のデータ光発生素子を制御して、入力データに応じた輝度のデータ光を発生すべく構成されることを特徴とする請求項１記載のマトリックスディスプレイデバイス。
【請求項３】
前記データ光発生デバイスが、レーザビーム発生用のレーザと、レーザビームを前記画素の光感応素子に沿って走査するための走査手段とを具え、前記データドライバが、入力データに応じた輝度を発生すべくレーザを制御するように構成されることを特徴とする請求項１記載のマトリックスディスプレイデバイス。
【請求項４】
前記データドライバが、２つの輝度レベルのみを発生すべく前記データ光発生デバイスを制御するように構成されることを特徴とする請求項２又は３記載のマトリックスディスプレイデバイス。
【請求項５】
前記光感応素子を光依存抵抗又は光起動スイッチとしたことを特徴とする請求項１記載のマトリックスディスプレイデバイス。
【請求項６】
前記画素光発生素子及びインピーダンス素子が直列に配置され、この直列配置が、関連する選択電圧の１つを受電するために選択ドライバに結合され、前記インピーダンス素子のインピーダンスが前記光感応素子の状態に依存するようにしたことを特徴とする請求項１記載のマトリックスディスプレイデバイス。
【請求項７】
前記光感応素子及び画素光発生素子が、画素光発生素子によって発生された画素光の一部を光感応素子に光学帰還させるように互いに位置付けられることを特徴とする請求項１記載のマトリックスディスプレイデバイス。
【請求項８】
前記画素の光感応素子及び画素光発生素子が直列に配置され、且つ光感応素子に達する画素光の一部の光量が、当該光感応素子のインピーダンスを画素光発生素子のインピーダンスに比べて比較的低く維持するのに十分となるようにしたことを特徴とする請求項７記載のマトリックスディスプレイデバイス。
【請求項９】
前記画素がスイッチング素子も具え、このスイッチング素子の制御電極が光感応素子に結合され、前記スイッチング素子の主電流通路が画素光発生素子に直列に配置され、この直列配置が、関連する１つの選択電圧の１つを受電するために前記選択ドライバに結合され、且つ光感応素子に達する画素光の一部の光量が、スイッチング素子の主電流通路のインピーダンスを画素光発生素子のインピーダンスに比べて比較的低くするのに十分となるようにしたことを特徴とする請求項７記載のマトリックスディスプレイデバイス。
【請求項１０】
前記画素がさらに：
前記最初に記述したスイッチング素子の制御電極に結合されたキャパシタと、
前記データ光を受光する別の光感応素子と、
制御電極が前記別の光感応素子に結合され、且つ主電流通路が前記最初に記述したスイッチング素子の制御電極に結合された別のスイッチング素子と、
を具えていることを特徴とする請求項請求項９記載のマトリックスディスプレイデバイス。
【請求項１１】
前記マトリックスディスプレイデバイスが：
さらに別の複数のデータ光を発生するためのさらなる複数のデータ光発生素子であって、前記複数の光導波伝送路の各々に、前記最初に記述した複数のデータ光発生素子のうちの、１つのデータ光発生素子と、前記さらなる複数のデータ光発生素子のうちの、１つのデータ光発生素子とが関連付けられ、且つ前記最初に記述した複数のデータ光の第１波長範囲と、前記さらなる複数のデータ光の第２波長範囲とが異なるようにした、前記さらなる複数のデータ光発生素子と、
前記第１方向に延在する第１サブグループの画素ラインにおける画素に関連する第１グループの光感応素子であって、前記第１波長範囲内の光には応答し、前記第２波長範囲内の光には実質上応答しない第１グループの光感応素子と、
前記第１方向に延在する第２サブグループの画素ラインにおける画素に関連する第２グループの光感応素子であって、前記第２波長範囲内の光には応答し、前記第１波長範囲内の光には実質上応答しない第２グループの光感応素子と、
を具えていることを特徴とする請求項請求項２記載のマトリックスディスプレイデバイス。
【請求項１２】
前記マトリックスディスプレイデバイスが：
さらに別の複数のデータ光を発生するためのさらなる複数のデータ光発生素子であって、前記複数の光導波伝送路の各々に、前記最初に記述した複数のデータ光発生素子のうちの１つのデータ光発生素子と、前記さらなる複数のデータ光発生素子のうちの１つのデータ光発生素子とが関連付けられ、且つ前記最初に記述した複数のデータ光の第１波長範囲と、前記さらなる複数のデータ光の第２波長範囲とが異なるようにした、前記さらなる複数のデータ光発生素子と、
前記第１方向に延在する第１サブグループの画素ラインの画素に関連付けられ、前記第１波長範囲内の光は転送し、前記第２波長範囲内の光はほぼ阻止する第１カラーフィルタと、
前記第１方向に延在する第２サブグループの画素ラインの画素に関連付けられ、前記第２波長範囲内の光は転送し、前記第１波長範囲内の光はほぼ阻止する第２カラーフィルタと、
を具え、前記第１サブグループと第２サブグループを分離させたことを特徴とする請求項２記載のマトリックスディスプレイデバイス。
【請求項１３】
前記最初に記述した複数のデータ光発生素子及び前記さらなる複数のデータ光発生素子を光導波伝送路の反対側に位置付けたことを特徴とする請求項１１又は１２記載のマトリックスディスプレイデバイス。
【請求項１４】
請求項２記載のマトリックスディスプレイデバイスを具えているディスプレイ装置。
【請求項１５】
第１方向に延在するラインのうち、選択された１つのラインに関連する選択電圧の１つが、十分高い値に選択されて、前記さらなる光発生素子の光が関連する光感応素子に達する際に、画素光発生素子が光を発生し、前記さらなる光発生素子から光を受光しない時には、光を発生せず、また、選択されていないラインに関連する選択電圧は、関連する画素光発生素子の状態を変更するのに十分な高さでなく、また低くもないレベルを有するようにしたことを特徴とする請求項１３記載のマトリックスディスプレイデバイス。
【発明の詳細な説明】
【技術分野】
【０００１】
本発明は、アクティブマトリックスディスプレイ及びマトリックスディスプレイを具えるディスプレイ装置に関する。
【背景技術】
【０００２】
米国特許明細書第６，２１５，４６２号には複数の画素行を有するマトリックスディスプレイ装置が開示されている。マトリックスディスプレイの行は１つずつ選択される。各行は、選択発光素子が発生する光を当該行の画素に転送する光導波伝送路に関連付けられる。この関連した選択発光素子が光を発生する場合に、特定の行が選択され、他の全ての行は、それらの関連する選択発光素子が光を発生しないので、選択されない。
【０００３】
各々の画素は、光感応素子と画素発光素子との直列配置を具えている。この直列配置には、表示すべき画像データに基づくデータ電圧が列導体を経て供給される。選択された行の画素においては、この選択された行に関連する選択発光素子によって発生された光が、関連する光導波伝送路を経て、選択された行の画素に達する。その結果、選択された行の画素の光感応素子が低インピーダンスを呈し、この選択された行におけるそれぞれの画素の画素発光素子にはデータ電圧が実質上生じる。こうして、選択された行の画素は、画素の列にそれぞれ接続された列導体上に与えられる画像データに基づく量の光を発生する。選択されない行においては、選択発光素子は光を発生せず、従って、選択されない画素の光感応素子のインピーダンスは高くなる。これらの画素に対しては、高インピーダンスの光感応素子間にデータ電圧が実質上生じ、その結果、画素発光素子間の電圧がしきい値以下となり、画素発光素子は光を発生しなくなる。
【０００４】
本発明の目的は、輝度を増大させたマトリックスディスプレイを提供することにある。
【０００５】
本発明の第１の特徴は、請求項１に係るマトリックスディスプレイの提供にある。本発明の第２の特徴は、請求項１４に係るディスプレイ装置の提供にある。有利な実施例は従属請求項に規定した通りである。
【０００６】
本発明の第１の特徴によるマトリックスディスプレイ装置は、光学的にアドレス指定可能な画素のマトリックスを具えている。画素は光感応素子及び画素光発生素子を具えている。特定の画素に対し、画素光発生素子は、関連する光感応素子の状態に依存する輝度を有する画素光を発生する。光感応素子の状態は、この素子に当たる光の量に依存する。マトリックスディスプレイはさらに、入力データに基づいて光感応素子に向けるべき光を発生する少なくとも１個のデータ光発生素子を具えている。
【０００７】
マトリックスディスプレイの画素は、画素のラインに適切な選択電圧を供給することによって１行づつ選択、即ちアドレス指定される。選択されないラインに対して、選択電圧は、光感応素子に光が当たるか、否かに無関係に、光発生素子の状態を変えることができないレベルを有する。選択されるラインに対しては、選択電圧は、光感応素子に光が当たるか、否かに応じて、光発生素子の状態を変えることができるレベルを有する。
【０００８】
表示すべき像に基づいて、入力データはデータ光発生素子を制御して、光を発生させる選択されたラインの画素には第１輝度レベルでデータ光を供給し、光を発生させない選択されたラインの画素には第２輝度レベルのデータ光を供給する。
【０００９】
このようなマトリックスディスプレイの動作につき以下説明する。例えば、１つの画素行だけが選択電圧を受電し、この選択された行の画素がデータ光の影響を受け、他の非選択行は、これらの非選択行の画素がデータ光による影響を受けない選択電圧を受電する。同時に２つ以上の行を選択して、これらの行の画素に同じデータを供給することができる。さらに、例えば画素の構成は、或る特定画素の光感応素子が或る特定のゼロでない輝度のデータ光を受光する場合に、この特定画素の画素光発生素子が光を発生し、関連する光感応素子がほぼゼロの輝度値のデータ光を受光する場合には、画素光発生素子が光を発生しないような構成とする。
【００１０】
従って、選択されたラインの画素だけがデータ光発生素子によって発生されるデータ光に感応し、これらの画素は、輝度がゼロでないデータ光が当たる場合に光を発生する。選択されないラインの画素は、データ光発生素子が発生する光に感応しないため、これらの画素の光学的状態は不変のままである。
【００１１】
これに対し、従来の米国特許第６，２１５，４６２号による光学的にアドレス指定可能なディスプレイでは、画素の光感応素子に当たる光は、データ電圧が当該光感応素子間に十分に与えられるように、この光感応素子のインピーダンスを低くすることによって画素のラインを選択している。選択されないラインの画素に対しては、光発生素子に比べてインピーダンスが比較的大きな光感応素子には光が当たらない。従って、光発生素子間には実質上電圧が生じないため、選択されていない行の画素は光を発生することができない。これは、或る特定行の各画素が単一の行選択期間中にアドレス指定されるだけで、従って、これらの画素はこの単一の行選択期間中にだけデータ電圧に基づく光を発生するだけであると云う欠点を有する。全ての他の行が選択された後には、特定行の画素は、単一の行選択期間中にだけデータ電圧に基づく光を再び発生するようになる。
【００１２】
本発明による光学的にアドレス指定可能なマトリックスディスプレイでは、非選択ラインの画素が、これらのラインの選択期間中に決定された量の光を発生する。従って、画素の輝度は、その画素が光を発生する期間が単一の行選択期間よりも遥かに長くなるために、高くなる。
【００１３】
請求項２に規定した本発明による例では、複数のデータ光発生素子が発生する光が、対応する複数の光導波伝送路を経て対応する複数の画素ラインに転送されるようにする。１つの光導波伝送路に関連付けられる各画素ラインに対しては、１つのデータ光発生素子が用いられるだけである。１つのデータ光発生素子に関連する画素のラインは、同じ選択電圧が供給される画素ラインが延在している方向に対して垂直の方向に延在させるのが好適である。通常、選択電圧を供給する導体は行方向に延在し、光導波伝送路は列方向に延在するが、ディスプレイの構成は転置させることができる。
【００１４】
完成マトリックス画素のアドレス指定につき以下説明する。例えば、説明を簡単にするために、光導波伝送路は列方向に延在し、且つマトリックスディスプレイの行が選択電圧で１行づつ選択されるものとする。また、一例に過ぎないが、行はその行の画素間に高レベルの電圧を供給することにより選択され、他の行は、それらの画素に低い電圧が供給されるために選択されない。高いレベルの電圧は、輝度がゼロでないデータ光を受光する画素の画素光発生素子は光を放射するも、輝度がほぼゼロのデータ光を受光する画素の画素光発生素子は光を放射しなくなるように選択される。低い電圧は、先に光を発生すべくアドレス指定された画素は光を依然発生しているも、先にアドレス指定されていない画素が光を発生し始めないようなレベルに選択される。従って、選択された行の画素は、光導波伝送路によって転送されるデータ光によってオン又はオフ状態に切り換えることができ、また、選択されていない画素の状態は不変である。行及び列は入れ替えることができる。
【００１５】
請求項３に規定した本発明の例では、データ光発生デバイスが、画素の光感応素子に沿って走査するレーザを具えている。レーザは、他の例で必要とした複数の光発生素子及び光導波伝送路を不要にする。
【００１６】
請求項４に規定した本発明の例では、データ光発生デバイスは、そのデバイスの光出力対駆動電圧の直線性が重要ではないので、簡単且つ安価な構成とすることができる。グレイスケールは、従来のサブフィールドドライブのような２レベルのディスプレイのように生成することができる。
【００１７】
請求項６に規定した本発明の例では、各画素内に画素光発生素子と直列にインピーダンス素子を配置する。このインピーダンス素子のインピーダンスは光感応素子に当たる光の輝度に依存する。インピーダンス素子を光感応素子とする場合、このことは、画素に用いられる素子数が最少になり、マトリックスディスプレイが簡単になると云う利点がある。光感応素子がトランジスタのような他のインピーダンス素子を制御するようにすることもできる。
【００１８】
選択電圧は画素光発生素子とインピーダンス素子との直列配置間に供給される。画素が選択行にある場合、選択電圧は十分高いレベルを有する。さらに、光感応素子にデータ光が当たることにより、インピーダンス素子のインピーダンスが低くなる場合には、画素光発生素子は、この画素光発生素子間に選択電圧が十分に存在するために、光を発生するようになる。或いはまた、光感応素子にデータ光が当たらないために、インピーダンス素子のインピーダンスが高い場合には、画素光発生素子は、光感応素子間に十分に存在するようになるため、選択電圧は光を発生しなくなる。
【００１９】
請求項７に規定した本発明による例では、画素内において、画素光発生素子が発生した画素光の一部が当該画素の関連する光感応素子に達するように、それぞれの画素を構成する。光感応素子は、画素光の一部が光感応素子に帰還されるようにして画素光に感応する。この帰還作用は、画素のメモリ特性を得るため又は画素のメモリ特性を制御するのに用いることができる。
【００２０】
従来の米国特許第６，２１５，４６１号のものに比べて、画素のメモリ特性は、選択期間中にオン状態に切り換えられた画素を、その選択期間後もオン状態に留める。画素は選択期間中だけでなく、ほぼ全フレーム期間中光を発生し、従って、輝度が増加する。
【００２１】
斯かる帰還作用は、画素のキャパシタンスによってもたらされる画素の真性メモリ特性に影響を与えるのに用いることもできる。光感応素子に当たる光の一部は、請求項１０の本発明の例にて規定しているように、キャパシタンスを放電させるのに用いられる。
【００２２】
画素の行が選択電圧によって選択され、この選択電圧が十分に高くて、画素の状態をデータ光によって変えることのできる場合には、光感応素子のインピーダンスは、データ光を受光する場合に画素光発生素子のインピーダンスに比べて低くなり、データ光を受光しない場合には、比較的低くなる。光感応素子のインピーダンスが低い場合には、光感応素子と画素光発生素子との直列配置間に供給される選択電圧が、画素光発生素子間に十分に生じるようになる。画素光発生素子は画素光を発生し、その一部は光感応素子によって受光される。この一部の光は光感応素子のインピーダンスを低く保つのに十分であるので、画素のメモリ特性が得られる。従って、画素光発生素子が一旦光を発生すると、光感応素子の状態は、データ光をもはや受光しなくても、画素光発生素子を光放射状態のままとする状態に保たれる。
【００２３】
このことは選択電圧のレベルに課せられる制約を緩和する。選択電圧は、選択期間中にデータ光が選択画素の光学的状態を変えられる十分な大きさとしなければならず、また、選択電圧は、非選択画素に対しては、これらの画素の光学的状態がデータ光によって変えられないような低い値にしなければならない。非選択画素に対する選択電圧を十分に高くして、これらの画素の光学的状態を不変に保たなければならないと云う必要性ももはやなくなる。画素のメモリ特性はこの最後の制約に対処することになる。しかしながら、選択電圧のレベルは、画素のメモリ特性が失われたり、画素光発生素子が光を発生できなったりするほどに低くならないようにすべきである。
【００２４】
請求項８に規定した本発明の例では、光感応素子そのものを画素光発生素子に直列に配置する。これによる利点は、マトリックスディスプレイの構成が簡単になることにある。
【００２５】
本発明の請求項９に規定した例では、スイッチング素子の主電極を画素光発生素子と直列に配置し、制御電極を光感応素子に結合させる。このようにすることの利点は、光感応素子のインピーダンスがさほど重要でなくなることにある。データ光又は画素光発生素子によって発生される光の一部によって生じる光感応素子のインピーダンスの変更はトランジスタによって増幅される。
【００２６】
本発明の請求項１０に規定した例では、データ光発生デバイスがデータ光を別の光感応素子の方へと向ける。データ光発生デバイスからの短い光パルスは、別のスイッチング素子を経てキャパシタを充電するのに十分である。キャパシタは、画素光発生素子からの画素光の一部を受光する光感応素子によって放電する。
【００２７】
このようにして、陰極線管のけい光体の特性に似たものとなり、データ光に応答して、画素は高輝度で光を発生し、その輝度は徐々に低下する。キャパシタの値は、輝度がゼロに低下するまでの時間を決定する。輝度及び/又はデータ光パルスの持続時間は画素のピーク輝度を決定する。
【００２８】
さらに、画素の輝度が、画素光発生素子を（ポリ）ＬＥＤ（発光ダイオード）とする場合には、この画素光発生素子の品質にほぼ無関係となる利点がある。（ポリ）ＬＥＤが首尾よく機能しなくても、キャパシタの放電に多少時間がかかるだけで、画素光発生素子が発生する正味の光量は実質上同じである。
【００２９】
従って、画素の真性メモリ特性は、光感応素子に当たる画素光発生素子が発生した光の一部の帰還によって影響される。
【００３０】
本発明の請求項１２に規定した例では、２つのデータ光発生素子が、複数あるデータ光導波伝送路のうちの、単一の光導波伝送路に関連付けられるようにする。これらのデータ光発生素子は、波長範囲がそれぞれ異なる第１及び第２のデータ光を発生する。画素はサブグループに分けられ、第１カラーフィルタが第１サブグループの画素に関連付けられて、第１のデータ光がこれらの画素に到達して、この第１サブグループに属している選択された画素の画素光発生素子の状態を変え、第２のデータ光は阻止されるようにする。第２カラーフィルタは画素の第２サブグループに関連付けられて、第１のデータ光は阻止されて、第２のデータ光が第２サブグループの選択された画素の画素光発生素子の状態を変えられるようにする。単一の光導波伝送路に２つ以上のデータ光発生素子を関連付け、２つ以上のカラーフィルタを用いて、画素を２つ以上の分離グループに分けることもできる。
【００３１】
単一のデータ光導波伝送路に数個のデータ光発生素子を関連付けることの利点は、アドレス指定すべき画素グループ（通常、画素行）の画素に適切な選択電圧を供給することにより、画素グループの画素を同時にアドレス指定し得ることにある。データ光発生素子は、種々のグループの選択された画素の各々に必要なデータを同時に与える。
【００３２】
例えば、データ光導波伝送路の各々が２つのデータ光発生素子の光を転送する場合には、第１カラーフィルタを奇数行の画素に関連付け、第２カラーフィルタを偶数行の画素に関連付ける。一方のデータ光発生素子は第１カラーフィルタを通過し得る光を発生するも、この光は第２カラーフィルタによっては十分に阻止される。他方のデータ光発生素子は第２カラーフィルタを通過し得る光を発生するも、この光は第１カラーフィルタによっては阻止される。そこで、奇数行の１つと、偶数行の１つを同時に選択して、同じデータ光導波伝送路を経てこれらの選択行の画素に必要なデータを同時に供給することができる。その理由は、カラーフィルタは正しいデータ光しか通さないからである。
【００３３】
双方のサブグループの画素を同時に選択できることは、発光用に利用できる時間が増えることになり、また、マトリックスディスプレイの画素を同じ時間内でもっと頻繁にアドレス指定することができ、これによりサブフィールドを増やすことができるので、より良好なグレイレベルを生成でき、また、ノイズアーチファクトを減らすことができる。
【００３４】
請求項１１に規定した本発明の例では、カラーフィルタの代わりに、異なる波長範囲の光に感応する光感応素子を用いる。
【００３５】
請求項１３に規定した本発明の例では、２つのデータ光発生素子をデータ光導波伝送路の両端に位置させる。このようにすることの利点は、データ光導波伝送路の寸法を大きくしなくて済むことにある。
【００３６】
本発明のこれら及び他の要点を以下説明する実施例を参照して明らかにする。
【００３７】
異なる図面における同じ参照符号は、同じ信号、又は同じ機能を果たす同じ要素を示すものとする。
【００３８】
図１は、光学的にアドレス指定されるディスプレイセル、即ち画素を有するマトリックスディスプレイ装置の実施例を示す。
【００３９】
マトリックスディスプレイは、光導波伝送路ＬＷｊ（ＬＷ１〜ＬＷｎ）と２つの行電極ＲＥｉ１，ＲＥｉ２の組との交点に関連付けられる画素Ｐｉｊ（Ｐ１１〜Ｐｍｎ）のマトリックスを具えている。指数ｉはマトリックスディスプレイの行番号を示し、指数ｊは列番号を示す。行電極ＲＥｉ１及びＲＥｉ２はｘ方向に延在し、光導波伝送路ＬＷｊはｙ方向に延在している。転置マトリックスディスプレイでは、ｘ及びｙの方向が入れ替わる。
【００４０】
選択ドライバＳＤは、第１の行電極ＲＥｉ１に第１の行電圧Ｖｉ１を、第２の行電極ＲＥｉ２に第２の行電圧Ｖｉ２を供給する。選択電圧ＳＶｉは、ｉ番目の行における第１の行電極ＲＥｉ１と第２の行電極ＲＥｉ２との間に存在する。
【００４１】
データドライバＤＤは、表示すべき入力データＩＤを受信して、この入力データＩＤに依存する輝度を有するデータ光Ｌｊを発生するデータ光発生素子ＡＬｊを駆動する。データ光発生素子ＡＬｊは光導波伝送路ＬＷｊと協働して、画素Ｐｉｊの光感応素子ＬＳｉｊ，ＦＬＳｉｊ（図２〜図４参照）にデータ光Ｌｊを供給する。
【００４２】
制御回路ＣＯは同期情報ＳＹを受信して、制御信号ＣＳ１を選択ドライバＳＤに供給し、画素Ｐｉｊの行ＬＲｉを１つずつ選択すると共に、選択された行ＬＲｉにデータを供給するためにデータドライバＤＤに制御信号ＣＳ２を供給する。
【００４３】
マトリックスディスプレイの画素Ｐｉｊは、画素Ｐｉｊの行ＬＲｉに適切な選択電圧ＳＶｉを供給することにより行毎に選択、即ちアドレス指定される。選択されない行ＬＲｉに対して、選択電圧ＳＶｉは、データ光Ｌｊが光感応素子ＬＳｉｊに当たるか、否かに関係なく、光発生素子ＬＧｉｊの状態を変えられないレベルを有する。しかしながら、選択電圧ＳＶｉのレベルは、最終選択期間中に得られた光発生素子ＬＧｉｊの状態をほぼ維持すべく選定する必要がある。選択された行ＬＲｉに対しては、選択電圧ＳＶｉは、データ光Ｌｊが光感応素子ＬＳｉｊに当たるか、否かに応じて、光発生素子ＬＧｉｊの状態を変化させることができるレベルを有する。
【００４４】
表示すべき像に応じて、入力データＩＤはデータ光発生素子ＡＬｊを制御し、光を発生すべく選択された行ＬＲｉの画素Ｐｉｊにデータ光Ｌｊを供給し、且つ選択された行ＬＲｉの、光を発生させない画素Ｐｉｊにはデータ光Ｌｊを供給しないようにする。これは画素Ｐｉｊの構成によっては逆になる。
【００４５】
選択された行ＬＲｉの画素Ｐｉｊは、データ光発生素子ＡＬｊが発生するデータ光Ｌｊに感応し、選択されない行ＬＲｉの画素Ｐｉｊは、データ光発生素子ＡＬｊが発生するデータ光に感応しないため、選択されない行ＬＲｉの画素Ｐｉｊは、それらの光学状態を維持する。従って、選択された行ＬＲｉの画素Ｐｉｊの光学状態を、表示すべき入力データＩＤに応じて変えることができ、一方これらの画素Ｐｉｊの光学状態は、他の行ＬＲｉが選択されている間は不変である。
【００４６】
画素Ｐｉｊは基板（図示せず）内に形成することができ、行電極ＲＥｉ１及び行電極ＲＥｉ２は基板のそれぞれ反対側に設けることができる。行電極ＲＥｉ１又はＲＥｉ２の一方は、行方向に延在する分離した電極の代わりに１つの電極プレートとして構成することができる。
【００４７】
図２は本発明による表示セルの実施例を示す。図２の表示セル、即ち画素Ｐｉｊは画素光発生素子ＬＧｉｊと光感応素子ＬＳｉｊとの直列配置を具えており、光感応素子ＬＳｉｊのインピーダンスはこれが受光する光の量に依存する。画素光発生素子ＬＧｉｊと光感応素子ＬＳｉｊとの直列配置は、選択電圧ＳＶｉを受電すべく第１の行電極ＲＥｉ１と第２の行電極ＲＥｉ２との間に配置される。第１の行電極ＲＥｉ１の電圧をＶｉ１で示し、第２の行電極ＲＥｉ２の電圧をＶｉ２で示してあり、選択電圧ＳＶｉは電圧Ｖｉ１とＶｉ２との差である。
【００４８】
選択された行ＬＲｉに対しては、選択電圧ＳＶｉは十分に高く、データ光Ｌｊが光感応素子ＬＳｉｊに当たり、この光感応素子ＬＳｉｊのインピーダンスが光発生素子ＬＧｉｊのインピーダンスに対して低くなるため、光発生素子ＬＧｉｊ間には選択電圧ＳＶｉが十分に存在するようになる。従って、画素Ｐｉｊは光を発生するようになる。データ光Ｌｊが光感応素子ＬＳｉｊに当たらない場合には、この光感応素子のインピーダンスが光発生素子ＬＧｉｊのインピーダンスに対して高くなり、選択電圧ＳＶｉは実質上光感応素子ＬＳｉｊ間には存在することになる。従って、画素Ｐｉｊは光を発生しなくなる。
【００４９】
選択されない行ＬＲｉに対しては、選択電圧ＳＶｉは適度な低い電圧レベルを有し、光感応素子ＬＳｉｊに当たるデータ光Ｌｊの輝度は問題にならない。選択電圧ＳＶｉのレベルが低いため、オフとなっていた（光を発生していない）画素Ｐｉｊは光を発生し始めることができず、そしてオンとなっていた（光を発生している）画素Ｐｉｊは光の発生を停止することができない。しかしながら、選択電圧ＳＶｉのレベルは、全ての画素Ｐｉｊがオフに切り換わるのを防ぐのに十分な高さとすべきである。選択電圧ＳＶｉの適切なレベルについては図７につき後に説明する。
【００５０】
画素Ｐｉｊは数多くの構成が可能であり、例えば、図３に示すような画素の構成を使用することも可能であり、この構成においては、主電流通路が画素光発生素子ＬＧｉｊに直列に配置されたトランジスタＴＲ１ｉｊを切り換えるために光感応素子ＬＳｉｊを用いている。画素光発生素子ＬＧｉｊと直列に配置される素子のインピーダンス値が、画素にデータ光が供給されるか否かに依存する、画素Ｐｉｊの他の任意構成のものも同じように動作する。
【００５１】
光学帰還を用いる本発明による実施例においては、画素光発生素子ＬＧｉｊにより発生される画素光の一部ＰＬＭｉｊが光感応素子ＬＳｉｊに達するようになる。
【００５２】
画素Ｐｉｊの動作について以下に説明する。光感応素子ＬＳｉｊに当たる光の総輝度は、画素光発生素子ＬＧｉｊが発生する画素光の一部ＰＬＭｉｊと、画素Ｐｉｊがアドレス指定されるアドレス指定期間（選択期間）中のデータ光Ｌｊとを合成したものである。
【００５３】
最初は、直列配置間にかなりの選択電圧ＳＶｉが存在する場合であっても、画素Ｐｉｊはオフ状態にある。光感応素子ＬＳｉｊの高インピーダンスは、選択電圧ＳＶｉを光感応素子ＬＳｉｊに十分に与えるため、画素光発生素子ＬＧｉｊ間の電圧はほぼゼロである。
【００５４】
画素の行をアドレス指定するアドレス指定期間中に、特定の画素Ｐｉｊが光を発生するようにする場合には、アドレス光（データ光）発生素子ＡＬｊが光感応素子ＬＳｉｊに達するデータ光を放射する。光感応素子ＬＳｉｊのインピーダンスは、画素光発生素子ＬＧｉｊのインピーダンスに対して低くなり、選択電圧ＳＶｉは、実質上画素光発生素子ＬＧｉｊ間に存在するようになる。そこで、画素光発生素子ＬＧｉｊは画素光ＬＭｉｊを放射し始める。データ光Ｌｊをオフに切り換えても、画素光発生素子ＬＧｉｊが発生する光一部ＰＬＭｉｊが光感応素子ＬＳｉｊにより捕えられ、これを低インピーダンスに維持するために、画素Ｐｉｊはオン状態のままである。画素Ｐｉｊは、選択電圧ＳＶｉをしきい値以下に低下させることによりオフ状態に切り換えられる。従って、画素Ｐｉｊは光感応素子ＬＳｉｊへの光学帰還光させることで得られる内蔵メモリを有することになる。
【００５５】
特定の画素Ｐｉｊが、画素の行をアドレス指定するアドレス指定期間中に光を発生しない場合には、データ光発生素子ＡＬｊはデータ光Ｌｊを放射せず、光感応素子ＬＳｉｊのインピーダンスは高いままである。
【００５６】
ビデオ信号で完成マトリックスディスプレイを駆動させるためには、フィールド期間中に全ての画素Ｐｉｊをアドレス指定して、このフィールド期間中に入力ビデオデータＩＤのフィールドを画素Ｐｉｊに供給しなければならない。次のフィールドの入力データＩＤは、次のフィールド期間中に画素Ｐｉｊに供給される。フィールド期間中に、マトリックスディスプレイの行が１つずつ選択される。
【００５７】
画素Ｐｉｊに最初にデータを書き込む前に、全ての画素Ｐｉｊは、光を発生しないようにリセットする必要がある。これは、全ての行ＬＲｉに対して選択電圧ＳＶｉをしきい値以下に低下させることにより可能である。そして、特定の行は、行選択期間中にこの行に十分高い選択電圧ＳＶｉが供給されることにより選択される。これと同時にアドレス光発生素子ＡＬｊが起動されて、画素光発生素子ＬＧｉｊが光を放出するオン状態に切り換えるのに必要とされるアドレス指定された行内の画素位置に対応する列にデータ光を発生する。次に、ライン（行）選択期間の終了時には、選択電圧ＳＶｉは、この行内の画素Ｐｉｊをそのままの状態に維持するのには十分ではあるが、その画素Ｐｉｊを再びアドレス指定するには低すぎる値にまで下げられる。従って、選択されていない行の選択電圧ＳＶｉは非常に低く、画素Ｐｉｊの状態を変化させることができないが、画素Ｐｉｊをリセットさせるほど低くはない。
【００５８】
更なるグレイスケールが要求される場合には、周知のサブフィールド駆動法を用いることができる。フィールド期間の各サブフィールドは、フィールド期間につき上述した方法と同じ方法によりアドレス指定することができる。
【００５９】
画素光発生素子ＬＧｉｊ及びアドレス光発生素子ＡＬｊは、例えば、小形レーザ、ＬＥＤ（発光ダイオード）、ＯＬＥＤ（有機ＬＥＤ）、ポリＬＥＤ、小形白熱ランプ又は蛍光灯、あるいはプラズマディスプレイに用いられているような光発生素子で構成することができる。光感応素子は、例えば、ＬＤＲ（光依存抵抗）、又はＬＡＳ（光駆動サイリスタ又は他の光駆動電子スイッチ）で構成することができる。
【００６０】
このような光学的にアドレス指定するディスプレイは、ＬＣＤに比べ安価で、製造が比較的容易である。寸法は容易に拡大縮小可能であり、簡単な２端子メモリ素子を要するだけで、しかも高いルーメン効率を達成可能である。
【００６１】
図３は、本発明によるディスプレイセルの他の実施例を示す。画素光発生素子ＬＧｉｊは、第１の行電極ＲＥ１ｉと第２の行電極ＲＥ２ｉとの間に、トランジスタＴＲ１ｉｊの主電流通路と直列に配置されている。第１の行電極ＲＥ１ｉにかかる電圧をＶｉ１により示し、第２の行電極ＲＥ２ｉにかかる電圧をＶｉ２により示してあり、選択電圧ＳＶｉは電圧Ｖｉ１とＶｉ２との差である。光感応素子ＬＳｉｊは、トランジスタＴＲ１ｉｊの制御電極と第１の行電極ＲＥ１ｉとの間に配置されている。トランジスタＴＲ１ｉｊの制御電極と第２の行電極ＲＥ２ｉとの間には、オプショナルのキャパシタＣ１ｉｊが配置される。トランジスタＴＲ１ｉｊの制御電極と第２の行電極ＲＥ２ｉとの間にもオプショナルの漏洩抵抗ＲＬｉｊが配置される。
【００６２】
データ光Ｌｊが光感応素子ＬＳｉｊに当たる場合には、トランジスタＴＲ１ｉｊが低オームとなり、かつ画素光発生素子ＬＧｉｊ間に選択電圧ＶＳｉが十分にかかり、当該画素光発生素子ＬＧｉｊは画素光ＬＭｉｊを放射し始める。画素光の一部ＰＬＭｉｊは光感応素子ＬＳｉｊに当たるため、この光感応素子は、データ光Ｌｊが供給されなくなっても画素をオン状態に維持することになる。選択電圧ＳＶｉがある特定値以下に低下すると、画素光発生素子ＬＧｉｊは光を放射しなくなる。画素光発生素子ＬＧｉｊは、電圧Ｖｉ３でオフ（又はオン）に切り換えることもできる。
【００６３】
キャパシタＣ１ｉｊはトランジスタＴＲ１ｉｊの制御電極にかかる電圧をバッファし、メモリ特性を提供する。抵抗ＲＬｉｊはキャパシタを放電させ、従ってこの抵抗はメモリの時定数を決定する。
【００６４】
図４は本発明によるディスプレイセルの他の実施例を示す。画素光発生素子ＬＧｉｊは行電極ＲＥ１ｉと行電極ＲＥ２ｉとの間に、トランジスタＴＲ１ｉｊの主電流通路と直列に配置されている。行電極ＲＥ１ｉにかかる電圧はＶｉ１により示し、行電極ＲＥ２ｉにかかる電圧はＶｉ２により示してあり、選択電圧ＳＶｉは電圧Ｖｉ１とＶｉ２との差である。光感応素子ＬＳｉｊはトランジスタＴＲ１ｉｊの制御電極と行電極ＲＥ１ｉとの間に配置されている。トランジスタＴＲ１ｉｊの制御電極と行電極ＲＥ１ｉとの間には、オプショナルのキャパシタＣ２ｉｊが配置されている。トランジスタＴＲ１ｉｊの制御電極と第２の行電極ＲＥ２ｉとの間には、トランジスタＴＲ２ｉｊの主電流通路が配置されている。トランジスタＴＲ２ｉｊの制御電極と行電極ＲＥ１ｉとの間には、光感応素子ＦＬＳｉｊが配置されている。
【００６５】
短いデータ光パルスＬｊが光感応素子ＦＬＳｉｊに当たる場合には、トランジスタＴＲ２ｉｊが低オームとなり、かつキャパシタＣ２ｉｊが選択電圧ＶＳｉにまで充電される。トランジスタＴＲ１ｉｊは導通し始め、そして画素光発生素子ＬＧｉｊが画素光ＬＭｉｊを放射し始める。キャパシタＣ２ｉｊの電荷はトランジスタＴＲ１ｉｊを導通状態に維持する。画素光の一部ＰＬＭｉｊは光感応素子ＬＳｉｊに当たり、この光感応素子はキャパシタＣ２ｉｊを放電させる。トランジスタＴＲ１ｉｊのインピーダンスは徐々に増大する。このようにして、陰極線管の蛍光体の特性に似たものとなる。データ光パルスＬｊに応答して、画素Ｐｉｊは高輝度で光を放射し始め、この輝度は次第に低下する。キャパシタＣ２ｉｊの値は、輝度がゼロに低下するまでの時間を決定する。データ光パルスＬｊの輝度及び／又は持続時間は、画素Ｐｉｊのピーク輝度値を決定する。
【００６６】
なお、画素光発生素子を（ポリ）ＬＥＤ（発光ダイオード）とする場合には、画素Ｐｉｊの輝度が、画素光発生素子の品質にほぼ無関係となるという利点がある。（ポリ）ＬＥＤが首尾よく機能しなくても、キャパシタＣ２ｉｊの放電により時間がかかるのであって、発生する正味の光量はほぼ等しい。
【００６７】
トランジスタＴＲ２ｉｊの制御電極における電圧Ｖｉ３で画素Ｐｉｊをオフに切り換えることが可能である。
【００６８】
図５は、ディスプレイセルをレーザでアドレス指定する本発明によるディスプレイ装置を示す。光学的にアドレス指定可能なディスプレイデバイスＯＤＡは、図１に示したような画素Ｐｉｊ及び行電極ＬＲｉを具えている。光導波伝送路ＬＷｊは存在しない。
【００６９】
図１に示したような本発明による実施例において、画素Ｐｉｊの光学的な状態は、アドレス光発生素子ＡＬｊによって発生される光により制御されるのであって、その光は光導波伝送路ＬＷｊを経て図２の光感応素子ＬＳｉｊ又は図４の光感応素子ＦＬｉｊに転送される。
【００７０】
図５に示したような本発明による実施例においては、レーザＬＡＳは、図２の光感応素子ＬＳｉｊ又は図４の光感応素子ＦＬｉｊに当てなければならない制御光Ｌｊを発生する。レーザＬＡＳによって発生されるレーザビームＬＢの走査は、ｘ/ｙスキャナＳＣＡで制御することができる。このｘ/ｙスキャナＳＣＡは、レーザビームＬＢをディスプレイＯＡＤの光感応素子ＬＳｉｊ又はＦＬＳｉｊに沿って走査すべく機械的に可動自在である。レーザビームＬＢは画素Ｐｉｊの行ＬＲｉを１行づつ走査するのが好適である。１つ以上のレーザビームを用いることもできる。
【００７１】
レーザ走査法は、光導波伝送路ＬＷｊ及び多数の制御光発生素子を必要としないため、ディスプレイの構成を簡単にする。さらに、データドライバＤＤも、各制御光発生素子ＡＬｊ用に１つずつの、多量の駆動信号の代わりに、単一レーザＬＡＳ用の単一駆動信号を発生させるだけで済むので、その構成が複雑でなくなる。好適実施例では、レーザＬＡＳは画素Ｐｉｊをアドレス指定するためにのみ用い、グレイスケールの生成には用いないようにする。従って、簡単なダイオードレーザで十分である。
【００７２】
ディスプレイＯＡＤは構成が簡単であるため、容易かつ安価に生産することができる。ディスプレイＯＡＤは箔とすることもできる。レーザＬＡＳはディスプレイＯＡＤの背面又は前面を走査することができる。背面投射は、周囲光が光感応素子ＬＳｉｊ又はＦＬＳｉｊに達するのを簡単に防げると云う利点がある。前面投射では、ディスプレイＯＤＡにおけるフィルタ層によって光感応素子ＬＳｉｊ又はＦＬＳｉｊを覆って、周囲光を十分に阻止して、画素の状態に影響を及ぼさないようにしなければならないが、レーザビームはフィルタを十分に通過可能であり、画素Ｐｉｊの状態を制御することができる。レーザ光に感応するが、周囲光には感応しない光感応素子ＬＳｉｊを用いることもできる。
【００７３】
カラーディスプレイでは、ディスプレイスクリーン上のレーザビームＬＢの位置を知って、ビデオ情報に対応するレーザビームＬＢの強度をディスプレイＯＡＤの赤、緑及び青画素の位置と同期させる必要がある。
【００７４】
図６は、２つ以上のデータ光発生素子を同じ光導波伝送路に関連付ける本発明によるディスプレイ装置を示す。例えば、図示のマトリックスディスプレイは、４行ＬＲ１〜ＬＲ４で、ｎ列の画素Ｐｉｊを具えている。指数ｉは行番号を示し、この例では１から４までであり、ｊは、１からｎまでの列番号を示している。図６には、最初の列を形成する４つの行における４つの最初の画素Ｐ１１〜Ｐ４１だけを示してある。各画素Ｐｉｊ  は、画素光発生素子ＬＧｉｊ（ＬＧ１１〜ＬＧ４１を図示）と、光感応素子ＬＳｉｊ（ＬＳｉｊ〜ＬＳｉｊを図示）と、カラーフィルタＦ１又はＦ２との直列配置を具えている。カラーフィルタＦ１は奇数行ＬＲ１，ＬＲ３の画素Ｐｉｊに関連付けられ、カラーフィルタＦ２は偶数行ＬＲ２，ＬＲ４の画素にＰｉｊに関連付けられている。奇数行ＬＲ１，ＬＲ３の画素Ｐｉｊは画素Ｐｉｊの第１グループを成し、偶数行ＬＲ２，ＬＲ４の画素Ｐｉｊは画素Ｐｉｊの第２グループを成す。
【００７５】
光導波伝送路ＬＷｊ（ＬＷ１〜ＬＷｎ）は列方向に延在している。データ光発生素子ＡＬｊ及びＡＬ２ｊの双方は、それらの各データ光Ｌｊ及びＬ２ｊを同じ光導波伝送路ＬＷｊを経て転送する。
【００７６】
マトリックスディスプレイの動作につき以下説明する。データ光発生素子ＡＬｊは、第１カラーフィルタＦ１を通過し得るも、第２カラーフィルタＦ２によっては殆ど阻止されるデータ光Ｌｊを発生する。別のデータ光発生素子ＡＬ２ｊは、第２カラーフィルタＦ１を通過し得るも、第１カラーフィルタＦ２によって殆ど阻止されるデータ光Ｌ２ｊを発生する。そこで、選択電圧Ｖｉ（Ｖ１〜Ｖ４を図示）を用いることで、奇数行ＬＲ１，ＬＲ３の１つと、偶数行ＬＲ２，ＬＲ４の１つを同時に選択して、これら選択した双方の行の画素に必要なデータを同じ光導波伝送路ＬＷｊを経て与えることが可能になる。カラーフィルタＦ１及びＦ２は、光導波伝送路ＬＷｊ内のデータ光Ｌｊ及びＬ２ｊに選択的に作動する。データ光Ｌｊは実質上、奇数行ＬＲ１，ＬＲ３の画素Ｐｉｊにのみ達し、データ光Ｌ２ｊは実質上、偶数行ＬＲ２，ＬＲ４の画素Ｐｉｊにだけ到達する。
【００７７】
双方のサブグループＳＧ１，ＳＧ２の画素Ｐｉｊを同時に選択できることにより、発光に利用できる時間が増大する。また、マトリックスディスプレイの画素Ｐｉｊを同じ期間内にもっと頻繁にアドレス指定することができ、このことは良好なグレイスケールを生成するのに利用することができ、また、サブフィールドを増やすことができるので、ノイズアーチファクトを減らすことができる。
【００７８】
画素Ｐｉｊは２つのグループＳＧ１とＳＧ２に別のやり方で分離させることができ、この場合には、カラーフィルタＦ１及びＦ２の位置をそれ相当に適合させなければならない。カラーフィルタＦ１及びＦ２を用いる代わりに、波長範囲が異なる照射光に応答する２つの異なるグループの光感応素子ＬＳｉｊを用いることもできる。一方のグループの
光感応素子ＬＳｉｊはデータ光Ｌｊに応答し、データ光Ｌ２ｊには応答せず、他方のグループの光感応素子ＬＳｉｊはデータ光Ｌ２ｊに応答し、データ光Ｌｊには応答しないようにする。
【００７９】
図７は、選択電圧の適切なレベルを示している。選択電圧ＶＳｉを水平軸に沿って示し、画素Ｐｉｊの輝度Ｂｒを縦軸に沿って示している。画素Ｐｉｊが選択電圧ＶＳｉ（ＶＳｉ＜ＶＳｉａ）の低い値においてオフ状態にあり、従って輝度Ｂｒが極めて低いか、ゼロであり、そして選択電圧ＶＳｉを増大させる場合に、画素Ｐｉｊは、曲線ＵＥに従って光を放射し始める。こうして値ＶＳｉｃ以上では、画素Ｐｉｊが光を放射し始め、そして値ＶＳｉｄ以上の選択電圧では、最大輝度Ｂｒｍが得られる。引き続き選択電圧ＶＳｉを低下させると、画素の輝度は曲線ＤＥをたどる。このように輝度はレベルＶＳｉｂにおいて低下し始め、レベルＶＳｉａ以下では低くなる。画素Ｐｉｊのヒステリシス特性のため、３つの領域が得られる。画素の輝度ＢｒはレベルＶＳｉａ以下では低く、従って選択電圧ＶＳｉをレベルＶＳｉａ以下に低下させることにより、画素Ｐｉｊをオフ状態に切り換えることができる。領域ＲＡ内では、オン状態にある（高輝度レベルＢｒｍを有する）画素Ｐｉｊはオン状態のままとなり、オフ状態にある（低輝度レベルを有する）画素はオフ状態のままとなる。領域ＲＢ内では、選択電圧ＳＶｉは、光が画素Ｐｉｊに当たる際に、画素Ｐｉｊをオンに切り換えるのに十分な大きさである。
【００８０】
実際の実施例においては、電圧レベルは次のようになる。ＶＳｉｂ＝４ボルト、ＶＳｉｃ＝５ボルト、ＶＳｉｄ＝７ボルト。これらのレベルは単なる目安であり、異なるディスプレイや異なる画素Ｐｉｊの形態に対しては、異なる電圧レベルとなり得る。
【００８１】
なお、上述した実施例は発明を限定するものではなく、当業者であれば、添付した請求の範囲から逸脱することなく幾多の変更を加え得ること明らかである。
【００８２】
例えば、ＭＯＳＦＥＴとして示したトランジスタは、バイポーラトランジスタとすることもできる。全てのトランジスタは反対導電型のものとすることもでき、この場合、回路は当業者に周知の方法で適合させる必要がある。
【００８３】
「具える」という語は、請求項中に列挙したもの以外の要素又はステップを除外するものではない。本発明は、幾つかの個別の要素を具えるハードウェアの手段によっても、また適切にプログラムしたコンピュータによっても実現することができる。幾つかの手段を列挙している装置の請求項においても、これらの手段のうち幾つかを、同一アイテムのハードウェアによって具体化することができる。所定の手法を、互いに異なる従属請求項に引用していても、そのことによりこれらの手法の組合せを有利に使用することができない、ということを示すものではない。
【図面の簡単な説明】
【００８４】
【図１】光学的にアドレス指定されるディスプレイセルを有するマトリックスディスプレイ装置の実施例を示す図である。
【図２】本発明によるディスプレイセルの実施例を示す図である。
【図３】本発明によるディスプレイセルの他の実施例を示す図である。
【図４】本発明によるディスプレイセルのさらに他の実施例を示す図である。
【図５】ディスプレイセルをレーザでアドレス指定する本発明によるディスプレイ装置を示す図である。
【図６】光導波伝送路に２つ以上のデータ光発生素子を関連付けた本発明によるディスプレイ装置を示す図である。
【図７】選択電圧の適切なレベルを示した図である。
【図１】
2006517682.tif 000003
【図２】
2006517682.tif 000004
【図３】
2006517682.tif 000005
【図４】
2006517682.tif 000006
【図５】
2006517682.tif 000007
【図６】
2006517682.tif 000008
【図７】
2006517682.tif 000009
【国際調査報告】
2006517682.tif 000010
2006517682.tif 000011